【手続補正書】
【提出日】平成22年7月8日(2010.7.8)
【手続補正１】
【補正対象書類名】特許請求の範囲
【補正対象項目名】全文
【補正方法】変更
【補正の内容】
【特許請求の範囲】
【請求項１】
テレビジョン処理デバイスに関係する報告データを受け取るステップと、
前記報告データから前記テレビジョン処理デバイスのチャネル同調および対応する同調時間を識別するステップと、
対応する同調時間におけるチャネル同調クラスタを識別するステップと、
各チャネル同調クラスタについて、そのチャネル同調クラスタについてのチャネル同調がそのチャネル同調クラスタについての特定の同調時間において生成される場合、前記チャネル同調クラスタが自動生成型チャネル同調であると決定するステップと
を含む、コンピュータによって実施される方法。
【請求項２】
対応する同調時間におけるチャネル同調クラスタを識別するステップは、
前記報告データから、テレビジョン処理デバイスについての第1の時間期間にわたる滞留時間カウントを識別するステップと、
前の滞留時間カウント期間および後の滞留時間カウント期間に対する、滞留時間カウントの比例増加を識別するステップとを含む、請求項1に記載の方法。
【請求項３】
対応する同調時間における前記チャネル同調クラスタを識別するステップは、
前記比例増加がしきい値を超えるか否か判定するステップと、
前記比例増加が前記しきい値を超える場合に、前記チャネル同調をチャネル同調クラスタとして識別するステップを含む、請求項2に記載の方法。
【請求項４】
チャネル同調クラスタペアを識別するステップと、
テレビジョン処理デバイスに関係するチャネル同調がチャネル同調クラスタペアに対応するか否か判定するステップと、
前記テレビジョン処理デバイスに関係する前記チャネル同調がチャネル同調クラスタペアに対応する場合に、前記チャネル同調によって定義されるチャネル上で前記チャネル同調クラスタペアによって定義される時間期間中に放送された広告について、広告コストを調整するステップとを含む、請求項1に記載の方法。
【請求項５】
広告コストを調整するステップは、前記広告コストを割り引くステップと、前記広告コストを猶予するステップと、前記広告コストを放棄するステップとのうちの1つを含む、請求項4に記載の方法。
【請求項６】
広告コストを調整するステップは、前記チャネル同調クラスタペアによって定義される前記時間期間の長さに実質的に比例して前記広告コストを割り引くステップを含む、請求項5に記載の方法。
【請求項７】
前記チャネル同調クラスタペアによって定義される前記時間期間に対して、関連しない、前記テレビジョン処理デバイスに関係するチャネル同調を識別するステップを含み、かつ、
前記広告コストを調整するステップは、前記識別された関連しないチャネル同調に基づいて前記広告コストを割り引くステップを含む、請求項5に記載の方法。
【請求項８】
前記識別された関連しないチャネル同調に基づいて前記広告コストを割り引くステップは、視聴者がおそらく存在することを前記関連しないチャネル同調が示す場合に、広告コストを割り引かないようにするステップを含む、請求項7に記載の方法。
【請求項９】
前記広告コストを割り引くステップは、関連しないチャネル同調が前記チャネル同調クラスタペアによって定義される前記時間期間と時間的に近接するのに実質的に反比例して前記広告コストを割り引くステップを含む、請求項7に記載の方法。
【請求項１０】
テレビジョン処理デバイスに関係する報告データを受け取るステップと、
前記報告データから前記テレビジョン処理デバイスのチャネル同調および対応する同調時間を識別するステップと、
トリガ同調時間におけるチャネル同調クラスタを識別するステップと、
前記トリガ同調時間に対応する同調時間を識別するステップと、
各チャネル同調クラスタについて、そのチャネル同調クラスタについてのチャネル同調が、そのチャネル同調クラスタについてのトリガ同調時間に対応する特定の同調時間において生成される場合、前記チャネル同調が自動生成型チャネル同調であると決定するステップと
を含む、コンピュータによって実施される方法。
【請求項１１】
トリガ同調時間を識別するステップは、
テレビジョン番組の番組開始時間および終了時間を識別するステップを含む、請求項10に記載の方法。
【請求項１２】
前記トリガ同調時間に対応する同調時間を識別するステップは、
前記トリガ同調時間に発生する同調時間を識別するステップを含む、請求項11に記載の方法。
【請求項１３】
前記トリガ同調時間に対応する同調時間を識別するステップは、
前記トリガ同調時間に対するパッド時間に発生する同調時間を識別するステップを含む、請求項11に記載の方法。
【請求項１４】
前記トリガ同調時間に対応する同調時間を識別するステップは、
トリガ同調時間から第1の特徴的な時間だけ前に発生する同調時間を識別するステップと、
トリガ同調時間から第2の特徴的な時間だけ後に発生する同調時間を識別するステップとを含む、請求項10に記載の方法。
【請求項１５】
前記チャネル同調が自動生成型チャネル同調であると決定するステップは、
第1の特徴的な同調時間に発生する前記同調時間と第2の特徴的な同調時間に発生する前記同調時間とによって定義される時間期間が滞留時間クラスタに対応するか否か判定するステップと、
前記第1の特徴的な同調時間に発生する前記同調時間と前記第2の特徴的な同調時間に発生する前記同調時間とによって定義される前記時間期間が滞留時間クラスタに対応する場合に、前記トリガ同調時間に対応する前記同調時間に発生するチャネル同調を自動生成型チャネル同調として識別するステップとを含む、請求項14に記載の方法。
【請求項１６】
自動生成型チャネル同調によって定義されるチャネル上で放送された広告についての広告コストを調整するステップを含む、請求項10に記載の方法。
【請求項１７】
テレビジョン処理デバイスについての自動生成型チャネル同調の対および対応する同調時間を識別するステップと、
前記チャネル同調によって定義されるチャネル上で前記対応する同調時間によって定義される時間期間中に放送された広告について、広告コストを調整するステップとを含む、請求項10に記載の方法。
【請求項１８】
広告コストを調整するステップは、前記対応する同調時間によって定義される前記時間期間の長さに実質的に比例して前記広告コストを割り引くステップを含む、請求項17に記載の方法。
【請求項１９】
前記対応する同調時間によって定義される前記時間期間に対して、関連しない、前記テレビジョン処理デバイスに関係するチャネル同調を識別するステップと、
前記識別された関連しないチャネル同調に基づいて前記広告コストの割引を調整するステップとを含む、請求項17に記載の方法。
【請求項２０】
前記識別された関連しないチャネル同調に基づいて前記広告コストの前記割引を調整するステップは、視聴者がおそらく存在することを前記関連しないチャネル同調が示す場合に、前記広告コストを割り引かないようにするステップを含む、請求項19に記載の方法。
【請求項２１】
前記チャネル同調が自動生成型チャネル同調であると決定するステップは、
同時発生チャネル同調の値を決定するステップと、
前記同時発生チャネル同調の値を前記自動生成型チャネル同調から引くステップとを含む、請求項10に記載の方法。
【請求項２２】
テレビジョン処理デバイスに関係する報告データを受け取り、
前記報告データから前記テレビジョン処理デバイスのチャネル同調および対応する同調時間を識別し、
対応する同調時間におけるチャネル同調クラスタを識別し、かつ、
各チャネル同調クラスタについて、そのチャネル同調クラスタについてのチャネル同調がそのチャネル同調クラスタについての特定の同調時間において生成される場合、前記チャネル同調クラスタが自動生成型チャネル同調であると決定する
オペレーションをコンピュータ処理システムに実行させるように構成されたコンピュータ処理システムに実装された自動化同調検出エンジンと、
前記識別された自動生成型チャネル同調時間に基づいて、広告に関連する広告コストを調整するように構成されたアカウンティングエンジンと
を備えるシステム。
【請求項２３】
前記自動化同調検出エンジンは、
トリガ同調時間を識別し、
前記トリガ同調時間に対応する同調時間を識別し、かつ、
前記トリガ同調時間に対応する前記識別された同調時間に発生する前記チャネル同調が自動生成型チャネル同調であると決定するように構成された、請求項22に記載のシステム。